(57)【要約】【課題】  電子機器の設定項目に対する知識のない初心者でも、電子機器を簡単に設定することができ、ユーザビリティの高い設定情報を入力することができる設定情報入力装置、設定情報入力方法およびプログラムを提供することを目的とする。【解決手段】  電子機器の設定項目に関する説明、設定項目に関する説明の存在場所を示す情報（たとえば、設定項目に関する説明が記述されている電子機器の取扱説明書のページ数）のうちの少なくとも一方を、設定情報入力シート上に記載するものである。【選択図】  図１
2006345085.tif 000002
【特許請求の範囲】
【請求項１】
電子機器の設定を入力する設定情報入力装置において、
設定情報入力シートを作成する設定情報入力シート作成手段であって、設定項目に関する説明を、上記設定情報入力シートに付与する設定情報入力シート作成手段と；
上記設定情報入力シートを印刷する設定情報入力シート印刷手段と；
設定情報入力作業者が加筆した上記設定情報入力シートを、読み取る設定情報読取手段と；
上記読取手段が読み取った設定情報を解析し、上記設定情報入力作業者が加筆した設定情報を、設定項目毎に、識別する設定情報解析手段と；
上記設定情報解析手段が識別した設定情報を、上記電子機器に設定する設定情報設定手段と；
を有することを特徴とする設定情報入力装置。
【請求項２】
電子機器の設定を入力する設定情報入力装置において、
設定情報入力シートを作成する設定情報入力シート作成手段であって、設定項目に関する説明の存在場所を示す情報を、上記設定情報入力シートに付与する設定情報入力シート作成手段と；
上記設定情報入力シートを印刷する設定情報入力シート印刷手段と；
設定情報入力作業者が加筆した上記設定情報入力シートを、読み取る設定情報読取手段と；
上記読取手段が読み取った設定情報を解析し、上記設定情報入力作業者が加筆した設定情報を、設定項目毎に、識別する設定情報解析手段と；
上記設定情報解析手段が識別した設定情報を、上記電子機器に設定する設定情報設定手段と；
を有することを特徴とする設定情報入力装置。
【請求項３】
電子機器の設定を入力する設定情報入力装置において、
設定情報入力シートを作成する設定情報入力シート作成手段であって、設定項目に関する説明と、設定項目に関する説明の存在場所を示す情報とを、上記設定情報入力シートに付与する設定情報入力シート作成手段と；
上記設定情報入力シートを印刷する設定情報入力シート印刷手段と；
設定情報入力作業者が加筆した上記設定情報入力シートを、読み取る設定情報読取手段と；
上記読取手段が読み取った設定情報を解析し、上記設定情報入力作業者が加筆した設定情報を、設定項目毎に、識別する設定情報解析手段と；
上記設定情報解析手段が識別した設定情報を、上記電子機器に設定する設定情報設定手段と；
を有することを特徴とする設定情報入力装置。
【請求項４】
請求項１〜請求項３のうちのいずれか１項において、
上記設定情報入力シート作成手段による設定情報入力シート作成と、上記設定情報入力シート印刷手段による印刷と、上記設定情報読取手段による読取と、上記設定情報解析手段による解析、識別と、上記設定情報設定手段による設定とを順に実行することによって、上記電子機器を設定することを特徴する設定情報入力装置。
【請求項５】
請求項４において、
上記設定情報解析手段が識別した設定情報に基づいて、設定が全て終了したかどうかを判断する設定終了判断手段を備え、
上記設定終了判断手段が、全ての設定を終了したと判断したら、上記設定情報入力シートを用いた一連の設定を終了し、一方、全ての設定のうちの少なくとも１つの設定が終了していなければ、次に設定すべき設定情報入力シートを、上記設定情報入力シート作成手段に作成させる制御手段と；
を有することを特徴とする設定情報入力装置。
【請求項６】
請求項１〜請求項５のいずれか１項において、
上記設定情報入力シート作成手段は、設定項目に関する説明または設定項目に関する説明の存在場所を示す情報を、該当する設定項目と同じ設定情報入力シートに印刷することを特徴とする設定情報入力装置。
【請求項７】
電子機器の設定を入力する設定情報入力方法において、
設定情報入力シートを作成する設定情報入力シート作成工程であって、設定項目に関する説明を、上記設定情報入力シートに付与する設定情報入力シート作成工程と；
上記設定情報入力シートを印刷する設定情報入力シート印刷工程と；
設定情報入力作業者が加筆した上記設定情報入力シートを、読み取る設定情報読取工程と；
上記読取工程で読み取った設定情報を解析し、上記設定情報入力作業者が加筆した設定情報を、設定項目毎に、識別する設定情報解析工程と；
上記設定情報解析工程で識別された設定情報を、上記電子機器に設定する設定情報設定工程と；
を有することを特徴とする設定情報入力方法。
【請求項８】
電子機器の設定を入力する設定情報入力方法において、
設定情報入力シートを作成する設定情報入力シート作成工程であって、設定項目に関する説明の存在場所を示す情報を、上記設定情報入力シートに付与する設定情報入力シート作成工程と；
上記設定情報入力シートを印刷する設定情報入力シート印刷工程と；
設定情報入力作業者が加筆した上記設定情報入力シートを、読み取る設定情報読取工程と；
上記読取工程で読み取った設定情報を解析し、上記設定情報入力作業者が加筆した設定情報を、設定項目毎に、識別する設定情報解析工程と；
上記設定情報解析工程で識別された設定情報を、上記電子機器に設定する設定情報設定工程と；
を有することを特徴とする設定情報入力方法。
【請求項９】
電子機器の設定を入力する設定情報入力方法において、
設定情報入力シートを作成する設定情報入力シート作成工程であって、設定項目に関する説明と、設定項目に関する説明の存在場所を示す情報とを、上記設定情報入力シートに付与する設定情報入力シート作成工程と；
上記設定情報入力シートを印刷する設定情報入力シート印刷工程と；
設定情報入力作業者が加筆した上記設定情報入力シートを、読み取る設定情報読取工程と；
上記読取工程で読み取った設定情報を解析し、上記設定情報入力作業者が加筆した設定情報を、設定項目毎に、識別する設定情報解析工程と；
上記設定情報解析工程で識別された設定情報を、上記電子機器に設定する設定情報設定工程と；
を有することを特徴とする設定情報入力方法。
【請求項１０】
請求項７〜請求項９のうちのいずれか１項において、
上記設定情報入力シート作成工程における設定情報入力シート作成と、上記設定情報入力シート印刷工程における印刷と、上記設定情報読取工程における読取と、上記設定情報解析工程における解析、識別と、上記設定情報設定工程における設定とを順に実行することによって、上記電子機器を設定することを特徴する設定情報入力方法。
【請求項１１】
請求項１０において、
上記設定情報解析工程で識別された設定情報に基づいて、設定が全て終了したかどうかを判断する設定終了判断工程を備え、
上記設定終了判断工程が、全ての設定を終了したと判断したら、上記設定情報入力シートを用いた一連の設定を終了し、一方、全ての設定のうちの少なくとも１つの設定が終了していなければ、次に設定すべき設定情報入力シートを、上記設定情報入力シート作成工程で作成させる制御工程と；
を有することを特徴とする設定情報入力方法。
【請求項１２】
請求項７〜請求項１１のいずれか１項において、
上記設定情報入力シート作成工程は、設定項目に関する説明または設定項目に関する説明の存在場所を示す情報を、該当する設定項目と同じ設定情報入力シートに印刷することを特徴とする設定情報入力方法。
【請求項１３】
電子機器の設定を入力する設定情報入力プログラムにおいて、
設定情報入力シートを作成する設定情報入力シート作成手順であって、設定項目に関する説明を、上記設定情報入力シートに付与する設定情報入力シート作成手順と；
上記設定情報入力シートを印刷する設定情報入力シート印刷手順と；
設定情報入力作業者が加筆した上記設定情報入力シートを、読み取る設定情報読取手順と；
上記読取手順で読み取った設定情報を解析し、上記設定情報入力作業者が加筆した設定情報を、設定項目毎に、識別する設定情報解析手順と；
上記設定情報解析手順で識別された設定情報を、上記電子機器に設定する設定情報設定手順と；
をコンピュータに実行させるプログラム。
【請求項１４】
電子機器の設定を入力する設定情報入力プログラムにおいて、
設定情報入力シートを作成する設定情報入力シート作成手順であって、設定項目に関する説明の存在場所を示す情報を、上記設定情報入力シートに付与する設定情報入力シート作成手順と；
上記設定情報入力シートを印刷する設定情報入力シート印刷手順と；
設定情報入力作業者が加筆した上記設定情報入力シートを、読み取る設定情報読取手順と；
上記読取手順で読み取った設定情報を解析し、上記設定情報入力作業者が加筆した設定情報を、設定項目毎に、識別する設定情報解析手順と；
上記設定情報解析手順で識別された設定情報を、上記電子機器に設定する設定情報設定手順と；
をコンピュータに実行させるプログラム。
【請求項１５】
電子機器の設定を入力する設定情報入力プログラムにおいて、
設定情報入力シートを作成する設定情報入力シート作成手順であって、設定項目に関する説明と、設定項目に関する説明の存在場所を示す情報とを、上記設定情報入力シートに付与する設定情報入力シート作成手順と；
上記設定情報入力シートを印刷する設定情報入力シート印刷手順と；
設定情報入力作業者が加筆した上記設定情報入力シートを、読み取る設定情報読取手順と；
上記読取手順で読み取った設定情報を解析し、上記設定情報入力作業者が加筆した設定情報を、設定項目毎に、識別する設定情報解析手順と；
上記設定情報解析手順で識別された設定情報を、上記電子機器に設定する設定情報設定手順と；
をコンピュータに実行させるプログラム。
【発明の詳細な説明】
【技術分野】
【０００１】
本発明は、設定情報入力シートを用いた設定情報入力装置、設定情報入力方法およびプログラムに関する。
【背景技術】
【０００２】
従来、電子機器の設定の入力作業は、一般的に複雑であり、設定項目全体に関する知識と、設定対象の動作に関する知識とを必要とする作業である。また、高機能な電子機器は、設定項目が多く、したがって、高機能な電子機器であればある程、使い難いという欠点がある。
【０００３】
この欠点を克服するために、設定項目を記入したシートを、読取装置で読み取り、電子機器の設定を行う方式が提案されている。
【０００４】
従来、設定情報入力形式提供手段から、光学読取手段の読取能力に応じて、図形・文字・記号を配置した設定情報入力形式を取得し、光学読み取り手段の読み取り能力に適するように印刷し、これによって、設定情報記入シートを作成し、設定情報をユーザが加筆した設定情報記入シートを、光学読み取り手段で読み取り、設定情報入力形式と設定情報記入シートとを照合することによって、設定情報を抽出し、電子機器の設定を装置が知られている（たとえば、特許文献１参照）。
【０００５】
また、記入シートに記入された電子機器を選択し制御するための画像情報を読み取り、画像情報を中央装置へ送り、中央装置において画像情報を制御信号に変化し、ネットワークでつながっている様々な電子機器の設定を行う装置が知られている（たとえば、特許文献２参照）。
【０００６】
さらに、制御方法が記述されているシート、または、制御方法を記述することができるシートを読み取り、電子機器の制御を行う装置が知られている（たとえば、特許文献３参照）。
【特許文献１】特開２００１−２１１２８４号公報
【特許文献２】特開２００３−３０７７４号公報
【特許文献３】特開２００３−２６３６１４号公報
【発明の開示】
【発明が解決しようとする課題】
【０００７】
従来の設定情報入力装置では、設定情報入力シートを用いてビデオの予約を設定し、また、コピー機を設定している。
【０００８】
しかし、上記従来例には、設定情報入力シート上の内容に関する説明が無く、ユーザが設定情報入力シートを実際に使用した場合を想定すると、設定情報入力シート上の内容が分かり難いという問題がある。
【０００９】
また、上記従来例では、設定情報入力シート上の内容が分らない場合、電子機器の取扱説明書等から、必要な部分をユーザが探さなければならず、ユーザの利便性がよくないという問題がある。
【００１０】
本発明は、設定情報入力シートを用いてユーザビリティの高い設定情報を入力することができる設定情報入力装置、設定情報入力方法およびプログラムを提供することを目的とする。
【００１１】
また、本発明は、ＰＣの設定を行う時のチュートリアルのように、設定項目に対する知識のない初心者でも、簡単に設定することができ、ユーザビリティの高い設定情報を入力することができる設定情報入力装置、設定情報入力方法およびプログラムを提供することを目的とする。
【課題を解決するための手段】
【００１２】
本発明は、設定項目に関する説明、設定項目に関する説明の存在場所を示す情報（たとえば、設定項目に関する説明が記述されている電子機器の取扱説明書のページ数）のうちの少なくとも一方を、設定情報入力シート上に記載するものである。
【発明の効果】
【００１３】
本発明によれば、設定情報入力シートに設定項目に関する説明、設定項目に関する説明の存在場所を示す情報を付加するので、設定項目に対する知識のない初心者のユーザでも、簡単に電子機器を設定することができるという効果を奏する。
【００１４】
つまり、本発明によれば、設定情報入力シートに設定項目に関する説明や設定項目に関する説明の存在場所を示す情報を付加するので、ユーザビリティの高い設定情報入力シートを実現することができるという効果を奏する。
【発明を実施するための最良の形態】
【００１５】
発明を実施するための最良の形態は、次の実施例である。
【実施例１】
【００１６】
実施例１は、設定項目に関する説明の存在場所を示す情報が付加されている設定情報入力シートを用いて、複合機の無線ＬＡＮを設定する実施例である。
【００１７】
図１は、本発明の実施例１である複合機１０が使用されている画像処理システム１００の全体の構成を示すブロック図である。
【００１８】
画像処理システム１００は、複合機１０と、ＰＣ（パーソナルコンピュータ）２０と、無線ＬＡＮユニット３０と、アクセスポイントＡＰ１、ＡＰ２、ＡＰ３とを有する。
【００１９】
複合機１０は、本発明の実施例１である設定情報入力装置の例である。なお、複合機１０の代わりに、単機能のプリンタ等を使用するようにしてもよい。
【００２０】
無線ＬＡＮユニット３０は、ＵＳＢによって、複合機１０と接続されている。また、無線ＬＡＮユニット３０は、ＬＡＮ（ローカルエリアネットワーク）によって、アクセスポイントＡＰ２と接続されている。無線ＬＡＮユニット３０とアクセスポイントＡＰ２との間を、有線で接続しても、無線で接続してもよいが、図１に示す例では、無線で接続されている。
【００２１】
また、図１に示す実施例では、複合機１０と無線ＬＡＮユニット３０とを分離し、ＵＳＢで互いに接続しているが、この２つを合体して、複合機１０が、無線ＬＡＮユニット３０の機能を含むようにしてもよい。
【００２２】
ＰＣ２０は、ＬＡＮによって、アクセスポイントＡＰ２と接続されている。この間は有線でも無線でもよいが、図１に示す実施例では、無線で接続されている。
【００２３】
これらによって、ＰＣ２０から複合機１０を、ＵＳＢ等で直接接続するのではなく、ＬＡＮを通して制御し、この制御方法について、以下、記載する。なお、複合機１０とＰＣ２０との間の制御プロトコルは、公知の制御プロトコルを用いる。
【００２４】
また、図１に示されているアクセスポイントＡＰ１とＡＰ３とは、ＰＣ２０、無線ＬＡＮユニット３０のどちらとも接続されていない。
【００２５】
また、無線ＬＡＮユニット３０、アクセスポイントＡＰ１、ＡＰ２、ＡＰ３、ＰＣ２０のそれぞれのＳＳＩＤ、ＩＰアドレス、ＭＡＣアドレスは、図示した通りのものであるとする。ここで、上記「ＭＡＣアドレス」は、ネットワークでホストを識別するために設定されるハードウェアアドレスであり、６バイトの識別符号で表される。また、上記ＳＳＩＤ、上記ＩＰアドレスについては後述する。
【００２６】
図２は、複合機１０の概略構成を示すブロック図である。
【００２７】
複合機１０は、ＣＰＵ１と、ＲＯＭ２と、ＲＡＭ３と、画像メモリ４と、データ変換部５と、読取制御部６と、読取部７と、操作表示部８と、通信制御部９と、符号復号化処理部１１と、記録制御部１２と、ＵＳＢファンクション制御部１３と、ＵＳＢホスト制御部１４と、記録部１５と、解像度変換処理部１６と、ＣＰＵバス１７とを有する。
【００２８】
ＣＰＵ１は、システム制御部であり、複合機１０の全体を制御する。
【００２９】
ＲＯＭ２は、ＣＰＵ１が実行する制御プログラムやデータテーブル、組み込みオペレーティングシステム（ＯＳ）プログラム等の固定データを格納する。実施例１では、ＲＯＭ２に格納されている各制御プログラムは、ＲＯＭ２に格納されている組み込みＯＳの管理下で、スケジューリングやタスクスイッチ、割り込み処理等のソフトウエアを実行制御する。
【００３０】
ＲＡＭ３は、バックアップ電源を必要とするＳＲＡＭ（Ｓｔａｔｉｃ  Ｒａｎｄｏｍ  Ａｃｃｅｓｓ  Ｍｅｍｏｒｙ）等で構成され、図示しないデータバックアップ用の１次電池によってデータが保持されている。ＲＡＭ３には、データが消去されては困るプログラム制御変数等を格納する。また、オペレータが登録した設定値や複合機１０の管理データ等を格納するメモリエリアも設けられている。
【００３１】
画像メモリ４は、ＤＲＡＭ（Ｄｙｎａｍｉｃ  Ｒａｎｄｏｍ  Ａｃｃｅｓｓ  Ｍｅｍｏｒｙ）等で構成され、画像データを蓄積する。また、一部の領域をソフトウエア処理の実行のためのワークエリアとして確保してある。
【００３２】
データ変換部５は、ページ記述言語（ＰＤＬ：Ｐａｇｅ  Ｄｅｓｃｒｉｐｔｉｏｎ  Ｌａｎｇｕａｇｅ）等の解析や、キャラクタデータのＣＧ（Ｃｏｍｐｕｔｅｒ  Ｇｒａｐｈｉｃｓ）展開等、画像データの変換を行う。
【００３３】
読取制御部６は、読取部７が、ＣＩＳイメージセンサ（密着型イメージセンサ）によって、光学的に原稿を読み取り、電気的な画像データに変換した画像信号を、図示しない画像処理制御部を介して、２値化処理や中間調処理等の各種画像処理を施し、高精細な画像データを出力する。なお、実施例１では、読取制御部６、読取部７は、原稿を搬送しながら、固定されているＣＩＳイメージセンサで読み取りを行うシート読取制御方式と、原稿台に固定されている原稿を、移動するＣＩＳイメージセンサでスキャンするブック読取制御方式の両制御方式とに対応している。
【００３４】
操作表示部８は、数値入力キー、文字入力キー、モード設定キー、決定キー、取り消しキー等を備えた操作表示部と、各種キー、ＬＥＤ（発光ダイオード）とＬＣＤ（液晶ディスプレイ）等によって構成され、ユーザによって複合機としての各種機能や、無線ＬＡＮユニット３０のネットワーク設定や暗号鍵の入力・編集や、複合機１０の動作状況、ステータス状況の表示等を行うことができる。
【００３５】
通信制御部９は、ＭＯＤＥＭ（変復調装置）や、ＮＣＵ（網制御装置）等によって構成されている。実施例１では、通信制御部９は、アナログの通信回線（ＰＳＴＮ）Ｌ１に接続され、Ｔ３０プロトコルでの通信制御、通信回線に対する発呼と着呼等の回線制御を行っている。
【００３６】
符号復号化処理部１１は、複合機１０で扱う画像データ（非圧縮、ＭＨ、ＭＲ、ＭＭＲ、ＪＢＩＧ、ＪＰＥＧ等）を、相互に符号復号化処理し、拡大縮小処理を行う。
【００３７】
記録制御部１２は、図示しない画像処理制御部を介して、印刷される画像データに、スムージング処理や記録濃度補正処理、色補正等の各種画像処理を施すことによって、高精細な画像データに変換し、ＵＳＢホスト制御部１４に出力する。また、ＵＳＢホスト制御部１４を制御することによって、定期的に記録部１５の状態情報データを取得する役割も果たす。
【００３８】
ＵＳＢファンクション制御部１３は、ＵＳＢインタフェースの通信制御を行うものであり、ＵＳＢ通信規格に従って、プロトコル制御を行い、ＣＰＵ１が実行するＵＳＢファンクション制御タスクからのデータを、パケットに変換し、図示しない外部のＰＣにＵＳＢパケット送信を行い、逆に、外部のＰＣからのＵＳＢパケットを、データに変換してＣＰＵ１に送信する。
【００３９】
ＵＳＢホスト制御部１４は、ＵＳＢ通信規格で定められたプロトコルで通信を行う制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１４は、ＵＳＢ通信におけるホストの機能を有する。
【００４０】
記録部１５は、図示しない専用ＣＰＵで制御するレーザビームプリンタやインクジェットプリンタ等からなる記録装置であり、ＵＳＢインタフェース経由で受信したカラー画像データ、またはモノクロ画像データを印刷部材に印刷する。ＵＳＢホスト制御部１４は、ＵＳＢ通信規格で定められたプロトコルで通信を行い、特に、記録部１５は、ファンクションの機能を有する。実施例１においては、記録機能のＵＳＢ通信は、１対１の接続形態を用いる。また、実施例１においては、ＵＳＢ対応とする。
【００４１】
解像度変換処理部１６は、ミリ系の画像データとインチ系の画像データの相互変換等の解像度変換制御を行う。なお、解像度変換処理部１６において、画像データの拡大縮小処理も可能である。
【００４２】
上記構成要素１〜６、８、９、１１〜１４、１６は、ＣＰＵ１が管理するＣＰＵバス１７を介して、相互に接続されている。
【００４３】
次に、複合機１０とともに画像処理システム１００を構成する情報処理端末等のＰＣ２０の概略構成について、説明する。
【００４４】
図３は、複合機１０とともに画像処理システム１００を構成する情報処理端末等のＰＣ２０の概略構成を示す図である。
【００４５】
ＰＣ２０は、ＣＰＵ２１と、ＲＯＭ２２と、ＲＡＭ２３と、内部記憶装置２４と、外部記憶装置２５と、操作部２６と、表示部２７と、通信部２８と，ＵＳＢホスト制御部２９とを有する。
【００４６】
ＣＰＵ２１は、ＲＯＭ２２、ＲＡＭ２３、または、内部記憶装置２４、外部記憶装置２５によって外部記憶媒体ＭＤから読み出されたプログラムに従って、システムバスを介してＰＣ２０全体の動作を制御するものである。
【００４７】
ＲＯＭ２２は、ＣＰＵ２１の制御プログラム等を格納している。ＲＡＭ２３は、一時的にプログラムや画像データを記憶し、ＰＣ２０の処理を高速に動作させるためのものである。
【００４８】
内部記憶装置２４には、オペレーティングシステム、各種アプリケーションプログラムや画像データ等が格納されている。内部記憶装置２４には、実施例１における文字データ処理工程を含む、複合機１０に対する各種制御命令やデータの送受信を行うためのアプリケーションソフト、プリンタドライバソフト、スキャナドライバソフト、ファクシミリドライバソフト、機能毎のＵＳＢクラスドライバソフトとＵＳＢバスドライバソフト等がインストールされている。
【００４９】
通常、これらのアプリケーションソフトとドライバソフトとは、これらが記憶されたほかのコンピュータ可読媒体から外部記憶ディスク（フロッピー（登録商標）ディスク、ＣＤ−ＲＯＭメディア）ＭＤによってデータを受け取り、外部記憶装置２５を制御することによってインストールを行う。また、通信回線によって通信部（ネットワークやモデム）２８で、アプリケーションソフトとドライバソフトとを受け取り、内部記憶装置２４にインストールするようにしてもよい。
【００５０】
操作部２６は、オペレータからの指示入力手段としてのキーボードやマウス（不図示）を制御するものである。印刷の実行起動には、通常、操作部２６のキーボードやマウスが使用される。
【００５１】
表示部２７は、オペレータに対して各種表示を行うものである。外部処理端末であるＰＣ２０で印刷の実行起動をかける場合は、確認ダイヤログ等を表示部２７に表示し、オペレータに入力を促す。また、印刷動作の実行中は、印刷状況を示す情報をオペレータに提供する。
【００５２】
通信部２８は、不図示のネットワークに接続し、通信回線を通してインターネットプロバイダへの接続や、相手通信装置との間でのデータや画像情報等の通信を行う。なお、ネットワークや通信回線への接続に関しては、公知の方法を使用し、説明を省略する。
【００５３】
ＵＳＢホスト制御部２９は、ＵＳＢインタフェースの通信制御を行うものであり、ＵＳＢ通信規格に従って、ＣＰＵ２１からのデータをパケットに変換し、複合機１０にＵＳＢパケットを送信し、逆に、複合機１０からのＵＳＢパケットをデータに変換し、ＣＰＵ２１に送信する。通信制御方法に関しては、公知の方法を使用し、説明を省略する。
【００５４】
次に、画像処理システム１００を構成する無線ＬＡＮユニット３０の概略構成について説明する。
【００５５】
図４は、画像処理システム１００を構成する無線ＬＡＮユニット３０の概略構成を示す図である。
【００５６】
無線ＬＡＮユニット３０は、ＣＰＵ３１と、ＲＯＭ３２と、ＲＡＭ３３と、無線ＬＡＮ通信部３４と、ＵＳＢホスト制御部３５とを有する。
【００５７】
ＣＰＵ３１は、ＲＯＭ３２、ＲＡＭ３３に記録されたプログラムに従って、システムバスを介して、無線ＬＡＮユニット３０の全体の動作を制御する。
【００５８】
ＲＯＭ３２は、ＣＰＵ３１の制御プログラム等を格納している。ＲＡＭ３３は、一時的にプログラムや画像データを記憶する。
【００５９】
無線ＬＡＮ通信部３４は、無線ＬＡＮによる通信を行う部分であり、各社から供給されている無線ＬＡＮコントロールチップを用いてもよく、また、通信の認証の手間を省くために各社から供給されているＰＣＭＣＩＡカード型無線ＬＡＮアダプタを、ＰＣＭＣＩＡカードコントローラ（不図示）を通して、ＣＰＵバスに接続するようにしてもよい。
【００６０】
ＵＳＢホスト制御部３５は、ＵＳＢインタフェースの通信制御を行うものであり、ＵＳＢ通信規格に従って、ＣＰＵ３１からのデータをパケットに変換し、複合機１０にＵＳＢパケットを送信し、逆に複合機１０からのＵＳＢパケットをデータに変換し、ＣＰＵ３１に送信する。通信制御方法に関しては、公知の方法を使用し、その説明を省略する。
【００６１】
次に、実施例１において、複合機１０と無線ＬＡＮユニット３０との無線ＬＡＮ設定を、設定情報入力シートを用いて行う動作について説明する。
【００６２】
ここで、「無線ＬＡＮ設定」は、大きく分けると、Ｓｅｒｖｉｃｅ  Ｓｅｔ  Ｉｄｅｎｔｉｆｉｅｒ（以下、ＳＳＩＤ）の設定と、Ｉｎｔｅｒｎｅｔ  Ｐｒｏｔｏｃｏｌ  Ａｄｄｒｅｓｓ（以下、ＩＰアドレス）の設定とがある。上記「ＳＳＩＤ」は、無線ＬＡＮで特定のネットワークを指定する識別名である。また、上記「ＩＰアドレス」は、インターネットやイントラネット等のＩＰネットワークに接続されたコンピュータ１台１台に割り振られている識別番号である。
【００６３】
また、ＳＳＩＤやＩＰアドレスの設定の仕方によっては、無線通信における暗号化技術であるＷｉｒｅｄ  Ｅｑｕｉｖａｌｅｎｔ  Ｐｒｉｖａｃｙ  キー（以下、「ＷＥＰキー」という）や、ＩＰアドレスの入力が必要である。なお、ＷＥＰキーには、６４ビットと１２８ビットとの２種類がある。
【００６４】
図５は、設定情報入力シートによる無線ＬＡＮ設定の処理動作の概要を示すフローチャートである。
【００６５】
設定情報入力シートによる無線ＬＡＮ設定方法は、４つのステップに大別される。すなわち、設定情報入力シートによる無線ＬＡＮ設定方法は、次の（１）〜（４）である。
（１）ステップ１：設定情報入力シートの作成（Ｓ１）
（２）ステップ２：設定情報入力シートへの加筆（Ｓ２）
（３）ステップ３：設定情報入力シートの解析（Ｓ３）
（４）ステップ４：設定終了かどうかの判断（Ｓ４）
＜ステップ１：設定情報入力シート作成（Ｓ１）＞
設定情報入力シートを作成する場合（Ｓ１）、無線ＬＡＮの設定を行うための設定情報入力シートを作成する。Ｓ１における処理の流れを簡単にまとめると、図５に示すように、設定情報入力シートの静的データを取得し、設定情報入力シートの動的データを取得し、上記静的データと上記動的データとを合成し、この合成したデータを設定情報入力シートとして印刷する。なお、上記「静的データ」は、設定情報入力シートの固定情報であり、静的設定情報である。
【００６６】
実施例１における無線ＬＡＮの設定では、ＷＬＡＮ設定ナビシートと、ＷＥＰキー設定ナビシート（６４ｂｉｔ）と、ＷＥＰキー設定ナビシート（１２８ｂｉｔ）と、ＩＰアドレス設定ナビシートとの、合計４種類の設定情報入力シートを作成する。なお、「ＷＬＡＮ」は、無線ＬＡＮである。
【００６７】
ＷＬＡＮ設定ナビシートについては、ユーザが無線ＬＡＮを設定するときに、操作表示部８を操作することによって、ＷＬＡＮ設定ナビシートの作成要求が出される。
【００６８】
また、ＷＥＰキー設定ナビシート（６４ｂｉｔ）と、ＷＥＰキー設定ナビシート（１２８ｂｉｔ）と、ＩＰアドレス設定ナビシートとの３種類のナビシートについては、ＷＬＡＮ設定ナビシートの設定によって、必要に応じて、Ｓ４において（Ｓ１２２、Ｓ１２４、Ｓ１２６）、作成要求が出される。
【００６９】
図６は、実施例１において、設定情報入力シートを作成する手順を示すフローチャートである。
【００７０】
Ｓ１１では、ＷＥＰキー設定ナビシート（６４ｂｉｔ）の作成要求が来ているかどうかを判定し、作成要求が来ていれば、Ｓ１２で、ＲＯＭ２に格納されているＷＥＰキー設定ナビシート（６４ｂｉｔ）の静的データ（静的設定情報）を取得する。そして、Ｓ２０では、上記静的データを、記録部１５が印刷可能な印刷データへ変換し、Ｓ２１では、作成された印刷データを記録部１５に送ることによって、ＷＥＰキー設定ナビシート（６４ｂｉｔ）を印刷する。
【００７１】
図７は、印刷されたＷＬＡＮ設定ナビシートを示す図である。
【００７２】
図８は、印刷されたＷＥＰキー設定ナビシート（６４ｂｉｔ）の一例を示す図である。
【００７３】
図９は、ＷＥＰキー設定ナビシート（１２８ｂｉｔ）の一例を示す図である。
【００７４】
上記と同様に、Ｓ１３では、ＷＥＰキー設定ナビシート（１２８ｂｉｔ）の作成要求が来ているかどうかを判定し、作成要求が来ていれば、図９に示すＷＥＰキー設定ナビシート（１２８ｂｉｔ）を印刷する。
【００７５】
図１０は、ＩＰアドレス設定ナビシートの一例を示す図である。
【００７６】
上記と同様に、Ｓ１５では、ＩＰアドレス設定ナビシートの作成要求が来ているかどうかを判定し、作成要求が来ていれば、図１０に示すＩＰアドレス設定ナビシートを印刷する。
【００７７】
Ｓ１１、Ｓ１３、Ｓ１５の全てが、ＮＯであれば、ＷＬＡＮ設定ナビシートの作成要求が来ていると判断し、Ｓ１７では、ＲＯＭ２に格納されているＷＬＡＮ設定ナビシートの静的データ（固定データ、静的設定情報）を取得する。そして、ＷＬＡＮ設定ナビシートの設定項目の中に、ユーザ毎に異なるアクセスポイントの項目があり、また、無線の電場状況に応じてリアルタイムに、動的に変化するアクセスポイントの項目があるので、Ｓ１８では、無線ＬＡＮユニット３０から、最新のアクセスポイントリスト（動的データであり、動的に変化する設定情報である動的設定情報）を取得する。
【００７８】
その後、Ｓ１９では、Ｓ１７で取得したＷＬＡＮ設定ナビシートの静的データと、Ｓ１８で取得したアクセスポイントリストの動的データとを合成する。
【００７９】
次に、Ｓ２０で、上記合成したデータを、記録部１５が印刷できる印刷データへ変換して印刷データを作成し、Ｓ２１では、この変換された印刷データを、記録部１５に送ることによって、ＷＬＡＮ設定ナビシートを印刷する。
【００８０】
＜ステップ２：設定情報入力シート加筆（Ｓ２）＞
次に、設定情報入力シート加筆ステップ（Ｓ２）の手順、つまり、Ｓ１で作成された４種類の設定情報入力シートに加筆する手順について説明する。
【００８１】
図７に示すＷＬＡＮ設定ナビシートにおいて、ＳＳＩＤとＩＰアドレスとを設定し、Ｓ３２のアクセスポイントのリストが、Ｓ１８で取得した動的データであり、それ以外の部分が、Ｓ１７で取得した静的データ（固定データ）である。
【００８２】
図７に示すＷＬＡＮ設定ナビシートは、図１に示す画像処理システム１００に対応するものである。
【００８３】
図１に示す例では、アクセスポイントとして、アクセスポイントＡＰ１、ＡＰ２、ＡＰ３の３つがあるので、図７のＳ３２に示すアクセスポイントリストにも、３つのアクセスポイントのリスト（アクセスポイントＡＰ１、ＡＰ２、ＡＰ３）が表示されている。
【００８４】
まず、Ｓ３１では、「ＰＣに接続する（アドホック）」か、「アクセスポイントに接続する」のうちで、どちらかを選択し、横長の丸印の部分（マーク記入欄）を塗りつぶす（マークする）。
【００８５】
このときに、図７に示すＷＬＡＮ設定ナビシートにおいて、接続方式、セキュリティモード、ＩＰアドレスのそれぞれについて、ユーザが理解できない場合、それぞれに対応する「＜＊１＞」、「＜＊２＞」、「＜＊３＞」のマークを参照する。
【００８６】
そして、Ｓ３６で、「接続方式」に関しての詳しい説明が記述されている場所を見つけることができ、これによって、取扱説明書のＰ４を、ユーザが見ることができ、「接続方式」に関する説明を簡単に見ることができる。
【００８７】
また、Ｓ３７で、「セキュリティモード」に関しての詳しい説明が記述されている場所を見つけることができ、これによって、取扱説明書のＰ１４を、ユーザが見ることができ、「セキュリティモード」に関する説明を簡単に見ることができる。
【００８８】
さらに、Ｓ３８で、「ＩＰアドレス」に関しての詳しい説明が記述されている場所を見つけることができる。これによって、取扱説明書のＰ２４を、ユーザが見ることができ、「ＩＰアドレス」に関する説明を簡単に見ることができる。
【００８９】
ここで、Ｓ３４で、ＩＰアドレスを自動取得しない（ＳＴＡＴＩＣ  ＩＰ）を選んだ場合、後に、ＩＰアドレス設定ナビシートが作成・印刷され、ＩＰアドレス設定ナビシートを記入しなければならない。
【００９０】
最後に、Ｓ３５の手順で、ＷＬＡＮ設定ナビシートを、読取部７から読み取る。
【００９１】
ここで、図１において、アクセスポイントＡＰ３の電源がＯＦＦになっている場合について考える。この場合、ユーザがＷＬＡＮを設定しようとして、ＷＬＡＮ設定ナビシートの作成要求を出すと、アクセスポイントリストに関しては、ＷＬＡＮ設定ナビシートを作成する時点の最新のリストを使用するので、図７に示す場合と比較すると、アクセスポイントＡＰ３がリスト上から削除され、アクセスポイントＡＰ１とＡＰ２とのみが印刷される。
【００９２】
図１１は、実施例１におけるＷＬＡＮ設定ナビシートの記入例を示す図である。
【００９３】
図１１に示す例では、アクセスポイントＡＰ２に接続し、セキュリティモードは、ＷＥＰキー（６４ｂｉｔ）であり、ＩＰアドレスの自動取得を行わない設定である。したがって、図１１に示すＷＬＡＮ設定ナビシートをスキャンすると、ＷＥＰキー設定ナビシート（６４ｂｉｔ）とＩＰアドレス設定ナビシートとを作成し、印刷し、これらのシートに記入をしなければならない。
【００９４】
図１１に示すＷＬＡＮ設定ナビシートにおいて、接続方式、セキュリティモード、ＩＰアドレスのそれぞれについて、ユーザが理解できない場合、それぞれに対応する「＜＊１＞」、「＜＊２＞」、「＜＊３＞」のマークを参照する。
【００９５】
そして、Ｓ７６で、「接続方式」に関しての詳しい説明が記述されている場所を見つけることができ、これによって、取扱説明書のＰ４を、ユーザが見ることができ、「接続方式」に関する説明を簡単に見ることができる。
【００９６】
また、Ｓ７７で、「セキュリティモード」に関しての詳しい説明が記述されている場所を見つけることができ、これによって、取扱説明書のＰ１４を、ユーザが見ることができ、「セキュリティモード」に関する説明を簡単に見ることができる。
【００９７】
さらに、Ｓ７８で、「ＩＰアドレス」に関しての詳しい説明が記述されている場所を見つけることができる。これによって、取扱説明書のＰ２４を、ユーザが見ることができ、「ＩＰアドレス」に関する説明を簡単に見ることができる。
【００９８】
図８に示すＷＥＰキー設定ナビシート（６４ｂｉｔ）では、ＷＬＡＮ設定ナビシートのＳ３３で選択したアクセスポイントの６４ｂｉｔのＷＥＰキーを設定する。６４ｂｉｔのＷＥＰキーを設定するには、０〜Ｆまでの１６進数で、１０桁指定する必要があるので、Ｓ４１では、これらをマークし、Ｓ４２に書いてある手順によって、ＷＥＰキー設定ナビシート（６４ｂｉｔ）を、読取部７から読み取る。
【００９９】
図１２は、ＷＥＰキー設定ナビシート（６４ｂｉｔ）の記入例を示す図である。
【０１００】
図１２に示す記入例では、１６進数の１０桁の数値「３４３５３２３６３４」が指定されている。
【０１０１】
これと同様に、図９に示すＷＥＰキー設定ナビシート（１２８ｂｉｔ）では、ＷＬＡＮ設定ナビシートのＳ３３で選択したアクセスポイントの１２８ｂｉｔのＷＥＰキーを設定する。１２８ｂｉｔのＷＥＰキーを設定するには、０〜Ｆの１６進数で２５桁指定する必要があるので、Ｓ５１では、これらをマークし、Ｓ５２に記載されている手順に従って、ＷＥＰキー設定ナビシート（１２８ｂｉｔ）を、読取部７が読み取る。
【０１０２】
図１０に示すＩＰアドレス設定ナビシートでは、０００．０００．０００．０００〜２５５．２５５．２５５．２５５の中から、ＩＰアドレスを設定する。Ｓ６１では、これらをマークし、Ｓ６２に記載されている手順で、ＩＰアドレスが記入されているＩＰアドレス設定ナビシートを読取部７が読み取る。
【０１０３】
図１３は、ＩＰアドレス設定ナビシートの記入例を示す図である。
【０１０４】
図１３では、１９２．１６８．０５３．２０１のＩＰアドレスが指定されている。
【０１０５】
＜ステップ３：設定情報入力シート解析（Ｓ３）＞
続いて、設定情報入力シート解析ステップ（Ｓ３）では、ステップ２（Ｓ２）で加筆された４種類の設定情報入力シートを解析する。
【０１０６】
ステップ３（Ｓ３）における処理の流れを簡単にまとめると、その流れが図５にフローチャートで示してあるように、設定情報入力シートの読取と、設定情報入力シートの解析と、機器への設定とである。
【０１０７】
図１４は、設定情報入力シートを解析する手順を示すフローチャートである。
【０１０８】
Ｓ１０１では、複合機１０の原稿台に置かれ、ユーザによって加筆された設定情報入力シートを、読取部７が読み取る。設定情報入力シートを読み取った場合、たとえば２値化した読取データを、ＲＡＭ３に格納する。格納された読取データは、後述する各種マーク判定処理や、どの種類の設定情報入力シートであるかの判定等で、参照される。
【０１０９】
続いて、Ｓ１０２では、読み取った設定情報入力シートが、ＷＥＰキー設定ナビシート（６４ｂｉｔ）であるかどうかを判定する。この判定は、図７、図８、図９、図１０に示す各種設定情報入力シートには示してないが、どのシートであるかを示す情報を、各種設定情報入力シート上に予め印刷し、Ｓ１０１における読取時に、どのシートであるかを判別する方法を採用している。この方法の代わりに、設定情報入力シートの読取を、ユーザが開始するときに、どのシートであるかを、操作表示部８上で選択する方法を採用するようにしてもよい。
【０１１０】
上記方法で、ＷＥＰキー設定ナビシート（６４ｂｉｔ）であると判断した場合、Ｓ１０３では、Ｓ１０１で読み取った６４ｂｉｔのＷＥＰキーを、無線ＬＡＮユニット３０に設定する。
【０１１１】
ここで、１０桁分の０〜Ｆの１６進数のどれがマークされているかを判定するマーク判定処理の方法に関して、特に規定しないが、たとえば、マーク位置を検出する場合、解析したい任意の場所のマーク座標を、ＲＯＭ２に予め記憶し、上記マーク座標に該当するアドレスから誤差を含めた範囲を解析し、任意の条件を満たす座標を、解析対象のマークであると判別するようにしてもよい。また、上記判別されたマーク欄に該当する読取データを、任意の閾値と比較することによって、マーキングされたか否かを判別するようにしてもよい。
【０１１２】
また、実施例１では、マークの有効または無効について、特に規定しないが、たとえば、複数のマーク欄からただ１つをマークすべき場合、複数のマークが検出されれば、エラーであると扱うようにしてもよい。
【０１１３】
同様に、Ｓ１０４では、ＷＥＰキー設定ナビシート（１２８ｂｉｔ）であると判断されると、Ｓ１０５では、１２８ｂｉｔのＷＥＰキーを設定する。
【０１１４】
また、上記と同様に、Ｓ１０６では、ＩＰアドレス設定ナビシートであると判断されると、Ｓ１０７では、ＩＰアドレスを設定する。
【０１１５】
ＷＬＡＮ設定ナビシート以外のシートである場合、ステップ３（Ｓ３）における設定は終わりであり、ステップ４（Ｓ４）へ進む。
【０１１６】
次に、ＷＬＡＮ設定ナビシートである場合、Ｓ１０８では、フラグ等の初期化設定を行う。この初期化設定は、ＷＥＰ６４フラグ、ＷＥＰ１２８フラグ、ＩＰアドレスフラグをＯＦＦとする設定である。
【０１１７】
続いて、Ｓ１０９では、Ｓ３１の接続方式の選択が、どちらにマークされているかを判定処理する。
【０１１８】
「ＰＣに接続する」にマークされている場合、Ｓ１１０では、無線ＬＡＮユニット３０の接続モードを、ＰＣと直接接続するアドホックモードに設定する。
【０１１９】
また、「アクセスポイントに接続する」にマークされている場合、Ｓ１１１では、Ｓ３２のアクセスポイントリストのうちで、どのアクセスポイントにマークされているかを判定し、無線ＬＡＮユニット３０の接続モードを、マークされているアクセスポイントとの接続に設定する。
【０１２０】
続いて、アクセスポイントと接続する場合、必要に応じて、セキュリティの設定をする必要があるので、Ｓ１１２では、Ｓ３３に示すセキュリティ方式のうちのどれにマークされているかを判定する。ＷＥＰキー（６４ｂｉｔ）に、マークされている場合、Ｓ１１３では、後でＷＥＰキー（６４ｂｉｔ）の設定をするためのＷＥＰキー設定ナビシート（６４ｂｉｔ）を作成するかどうかを判断する場合（後述のＳ１２１）、作成すると判断するために、ＷＥＰ６４フラグをＯＮにする。また、これと同様に、ＷＥＰキー（１２８ｂｉｔ）にマークされている場合、Ｓ１１４では、ＷＥＰ１２８フラグをＯＮにする。また、未使用にマークされていた場合、何も行わずに、次のＳ１１５の処理を行う。
【０１２１】
最後に、Ｓ１１５では、Ｓ３４に示すＩＰアドレスの設定がどちらにマークされているかを判定し、「ＩＰアドレスを自動取得する」にマークされている場合、Ｓ１１６では、無線ＬＡＮユニット３０のＩＰアドレスのモードを、ＩＰアドレスを自動取得するモードに設定する。また、「ＩＰアドレスを自動取得しない」にマークされている場合、Ｓ１１７では、後でＩＰアドレスをユーザが設定をするためのＩＰアドレス設定ナビシートを作成するかどうかを判断する場合、（後述のＳ１２５）、作成すると判断するために、ＩＰアドレスフラグをＯＮにする。
【０１２２】
＜ステップ４：設定終了かどうかの判断（Ｓ４）＞
最後に、Ｓ４の無線ＬＡＮの設定終了かどうかを判断するステップにおける処理について、説明する。
【０１２３】
図１５は、設定終了かどうかを判断する手順を示すフローチャートである。
【０１２４】
まず、Ｓ１２１では、ＷＥＰ６４フラグがＯＮであるかどうかをチェックする。ＷＥＰ６４フラグがＯＮである場合、Ｓ１２２では、ＷＥＰキー設定ナビシート（６４ｂｉｔ）の作成要求を出し、ＷＥＰ６４フラグをＯＦＦにする。
【０１２５】
これと同様に、Ｓ１２３では、ＷＥＰ１２８フラグがＯＮである場合、Ｓ１２４では、ＷＥＰキー設定ナビシート（１２８ｂｉｔ）の作成要求を出し、ＷＥＰ１２８フラグをＯＦＦにする。
【０１２６】
また、Ｓ１２５では、ＩＰアドレスフラグがＯＮである場合、Ｓ１２６では、ＩＰアドレス設定ナビシートの作成要求を出し、ＩＰアドレスフラグをＯＦＦにする。
【０１２７】
続いて、ＷＥＰ６４フラグ、ＷＥＰ１２８フラグ、ＩＰアドレスフラグのどれかがＯＮである場合、Ｓ１２８では、ステップ１（Ｓ１）の設定情報入力シート作成に戻り、図６に示す設定情報入力シート作成のフローチャートに従って、作成要求が出された設定情報入力シートの作成、印刷を行う。
【０１２８】
また、ＷＥＰ６４フラグ、ＷＥＰ１２８フラグ、ＩＰアドレスフラグの全てがＯＦＦである場合、無線ＬＡＮの設定が終了したので、Ｓ１２７では、無線ＬＡＮの設定終了の処理を行う。
【実施例２】
【０１２９】
本発明の実施例２は、設定項目に関する説明を付加した設定情報入力シートを用いて、複合機１０に無線ＬＡＮを設定する実施例である。
【０１３０】
図１６は、実施例２において、設定項目に関する説明を付加した設定情報入力シートを用いて、複合機１０に無線ＬＡＮを設定する手順を示すフローチャートである。
【０１３１】
Ｓ１３１、Ｓ１３３、Ｓ１３４、Ｓ１３６、Ｓ１３７、Ｓ１３８、Ｓ１４０では、「○○ナビシートの作成・加筆・解析」と記述されているが、この「○○ナビシートの作成・加筆・解析」は、図５で説明したステップ１（Ｓ１）〜ステップ４（Ｓ４）の各処理を行うことを意味する。そして、Ｓ１３１、Ｓ１３４、Ｓ１３８における各ナビシートの設定に応じて、その後の処理動作が変化する。
【０１３２】
まず、Ｓ１３１において、接続方式選択ナビシートを作成、加筆、解析する。
【０１３３】
図１７は、実施例２において、印刷された接続方式選択ナビシートを示す図である。
【０１３４】
接続方式選択ナビシートでは、アドホックモード（Ｓ１５１）か、インフラストラクチャモード（Ｓ１５３）かのどちらかの接続方式を選択する。このときに、アドホックモード、アクセスポイント、インフラストラクチャモード等、無線ＬＡＮ特有の各単語の意味が分らない場合、それぞれＳ１５２、Ｓ１５４、Ｓ１５５に書かれている説明を見ることができる。
【０１３５】
続いて、図１６に示すＳ１３２では、アドホックモード（Ｓ１５１）か、インフラストラクチャモード（Ｓ１５３）かのどちらを選択したかを判断し、インフラストラクチャモード（Ｓ１５３）を選択した場合、図１６に示すＳ１３３では、アクセスポイント選択ナビシートを作成、加筆、解析する。
【０１３６】
図１８は、実施例２において、印刷されたアクセスポイント選択ナビシートを示す図である。
【０１３７】
アクセスポイント選択ナビシートでは、無線ＬＡＮユニット３０が接続可能なアクセスポイントのＳＳＩＤとＭＡＣアドレスリストとが表示されている。この中から、ユーザが接続したいアクセスポイントを選択する（Ｓ１６１）。この場合、図１７に示す接続方式選択ナビシートの場合と同様に、ＳＳＩＤ、ＭＡＣアドレスという無線ＬＡＮ特有の単語の意味をユーザが理解していなければ、Ｓ１６２、Ｓ１６３に書かれている説明を見ることができる。その後に、図１６に示すＳ１３４の処理へ進む。また、図１６に示すＳ１３２で、アドホックモードであると判断されれば、図１６に示すＳ１３３の処理を行わずに、Ｓ１３４の処理へ進む。
【０１３８】
次に、図１６に示すＳ１３４では、セキュリティモード選択ナビシートを作成、加筆、解析する。
【０１３９】
図１９は、実施例２において、印刷されたセキュリティモード選択ナビシートを示す図である。
【０１４０】
セキュリティモード選択ナビシートでは、接続するＰＣ２０やアクセスポイントの場合と同じく、セキュリティモードを選択しなければならない。このときに、図１７、図１８に示す場合と同様に、ＷＥＰキー（６４Ｂｉｔ）、ＷＥＰキー（１２８Ｂｉｔ）という無線ＬＡＮ特有の各単語の意味を、ユーザが理解していなければ、Ｓ１７３、Ｓ１７５に書かれている説明を見ることができる。
【０１４１】
続いて、図１６に示すＳ１３５では、セキュリティモードのどれを選択したかを判断し、ＷＥＰキー（６４Ｂｉｔ）に設定されていれば（Ｓ１７２）、図１６に示すＳ１３６に進み、図８に示すＷＥＰキー設定ナビシート（６４Ｂｉｔ）を作成、加筆、解析する。また、上記と同様に、ＷＥＰキー（１２８Ｂｉｔ）に設定されていれば（Ｓ１７４）、図１６に示すＳ１３７に進み、図９に示すＷＥＰキー設定ナビシート（１２８Ｂｉｔ）を作成、加筆、解析する。また、未使用が設定されていれば（Ｓ１７１）、図１６に示すＳ１３８へ進む。
【０１４２】
次に、図１６に示すＳ１３８では、ＩＰアドレス選択ナビシートを作成、加筆、解析する。
【０１４３】
図２０は、実施例２において、印刷されたＩＰアドレス選択ナビシートを示す図である。
【０１４４】
ＩＰアドレス選択ナビシートでは、ＩＰアドレスを自動取得するか自動取得しないかを選択する。このときに、図１７、図１８、図１９に示す場合と同様に、ＩＰアドレス、ＤＨＣＰ、ＳＴＡＴＩＣ  ＩＰという無線ＬＡＮ特有の単語の意味をユーザが理解していなければ、Ｓ１８１、Ｓ１８３、Ｓ１８５に書かれている説明を見ることができる。
【０１４５】
続いて、図１６に示すＳ１３９では、ＩＰアドレスを自動取得しないとした場合、Ｓ１４０で、図１０に示すＩＰアドレス設定ナビシートを作成、加筆、解析する。
【０１４６】
以上で、設定項目に関する説明が付加されている設定情報入力シートを用いて、無線ＬＡＮの設定が終了する。
【実施例３】
【０１４７】
本発明の実施例３は、設定項目に関する説明と設定項目に関する説明の存在場所を示す情報とが付加されている設定情報入力シートを使用して、複合機１０について、無線ＬＡＮを設定する実施例である。
【０１４８】
基本的な設定の手順は、実施例２で説明した図１６に示す場合と同じである。ただし、Ｓ１３１、Ｓ１３３、Ｓ１３４、Ｓ１３８において作成する設定情報入力シートの内容が異なる。
【０１４９】
図１７は、本発明の実施例３における接続方式選択ナビシートを示す図でもある。
【０１５０】
実施例２では、アドホックモード、アクセスポイント、インフラストラクチャモードの各単語に関する説明が、Ｓ１５１、Ｓ１５４、Ｓ１５５で、記述されているが、実施例３は、これに加えて、これらの単語のより詳細な説明が書かれている取扱説明書のページ数（設定項目に関する説明の存在場所）を示す記述を、図１７の下方に書いてある実施例である。
【０１５１】
アドホックモードに関する詳細な説明が取扱説明書の５ページ（Ｓ１５７）に存在しているとの記載（存在場所の記載）があり、アクセスポイントに関する詳細な説明が取扱説明書の６ページ（Ｓ１５８）に存在しているとの記載（存在場所の記載）がある。また、インフラストラクチャモードに関する詳細な説明が取扱説明書の７ページ（Ｓ１５９）に存在しているとの記載（存在場所の記載）がある。
【０１５２】
上記と同様に、アクセスポイント選択ナビシートでは、ＳＳＩＤに関する詳細な説明が取扱説明書の９ページ（Ｓ１６５）に存在しているとの記載（存在場所の記載）があり、ＭＡＣアドレスに関する詳細な説明が取扱説明書の１０ページ（Ｓ１６６）に存在しているとの記載（存在場所の記載）がある。
【０１５３】
また、セキュリティモード選択ナビシートやＩＰアドレス選択ナビシートの場合でも、上記と同様に、設定項目に関する説明の存在場所を示す情報が付加されている（Ｓ１７７、Ｓ１７８、Ｓ１８７、Ｓ１８８、Ｓ１８９）。
【実施例４】
【０１５４】
本発明の実施例４は、実施例１〜実施例３における３種類の設定情報入力シートのどのシートを使用するかを選択する実施例である。
【０１５５】
図２１は、本発明の実施例４の動作を示すフローチャートであり、実施例１〜実施例３に示す３種類の設定情報入力シートのどのシートを使用するのかを選択する手順を示すフローチャートである。
【０１５６】
Ｓ１９１では、どの種類の設定情報入力シートを使用するのかを判定する。つまり、説明が付加されている設定情報入力シートを使用するのか、説明の存在場所を示す情報が付加されている設定情報入力シートを使用するのか、説明が付加されしかもその説明の存在場所をも示す情報が付加されている設定情報入力シートを使用するのかを判定する。
【０１５７】
この場合、ユーザが操作表示部８から、使用する設定情報入力シートを選択するようにしてもよく、どのシートにするのかを選択する設定情報入力シートを使用するようにしてもよい。
【０１５８】
設定項目に関する説明の存在場所を示す情報のみを付加する場合、実施例１の処理を行う（Ｓ１９２）。設定項目に関する説明のみを付加する場合、実施例２の処理を行う（Ｓ１９３）。また、設定項目に関する説明と説明の存在場所を示す情報との両方を付加する場合、実施例３の処理を行う（Ｓ１９４）。
【０１５９】
なお、上記実施例は、無線ＬＡＮ対応の複合機であるが、これに限らず、ユーザごとに設定項目や設定項目の内容が異なる電子機器の設定に利用でき、また、状況の変化に応じて設定項目や設定項目の内容が変化する全ての電子機器の設定に適用することができる。
【０１６０】
以下に、上記実施例を適用することができる電子機器の例を幾つか挙げる。
【０１６１】
複合機に限らず、無線ネットワークや有線ネットワークに接続することができる全ての電子機器のアクセスポイント等のネットワーク設定に有効である。たとえば、プリンタ、スキャナ、パソコン、ＰＤＡ等のＯＡ機器、エアコン、冷蔵庫、洗濯機等の情報家電のアクセスポイント等のネットワーク設定に有効である。
【０１６２】
また、テレビ、ラジオ等の放送受信である場合、ユーザの場所や時間によって視聴可能な番組が異なる特徴がある。また、有料放送である場合、ユーザ毎に、視聴可能な番組が異なる。このために、視聴予約可能な番組表は、ユーザ毎に異なり、したがって、上記実施例における設定情報入力シートを用いると、視聴予約を簡単に実行することができる。
【０１６３】
また、上記実施例は、設定情報入力シートの読み取りに関して、ユーザが塗りつぶした○印を認識するマークシート方式であるが、たとえば、設定情報入力シートにユーザが手書き文字で設定情報を加筆し、これを、光学式文字読取方式（Ｏｐｔｉｃａｌ  Ｃｈａｒａｃｔｅｒ  Ｒｅａｄｅｒ：ＯＣＲ）によって読み取り、ユーザが記入した文字を認識し、電子機器の設定を行う方式に、上記実施例を適用するようにしてもよい。
【０１６４】
なお、上記実施例を、プログラムの発明として把握することができる。つまり、上記実施例は、電子機器の設定を入力する設定情報入力プログラムにおいて、設定情報入力シートを作成する設定情報入力シート作成手順であって、設定項目に関する説明を、上記設定情報入力シートに付与する設定情報入力シート作成手順と、上記設定情報入力シートを印刷する設定情報入力シート印刷手順と、設定情報入力作業者が加筆した上記設定情報入力シートを、読み取る設定情報読取手順と、上記読取手順で読み取った設定情報を解析し、上記設定情報入力作業者が加筆した設定情報を、設定項目毎に、識別する設定情報解析手順と、上記設定情報解析手順で識別された設定情報を、上記電子機器に設定する設定情報設定手順とをコンピュータに実行させるプログラムの例である。
【０１６５】
また、上記実施例は、電子機器の設定を入力する設定情報入力プログラムにおいて、設定情報入力シートを作成する設定情報入力シート作成手順であって、設定項目に関する説明の存在場所を示す情報を、上記設定情報入力シートに付与する設定情報入力シート作成手順と、上記設定情報入力シートを印刷する設定情報入力シート印刷手順と、設定情報入力作業者が加筆した上記設定情報入力シートを、読み取る設定情報読取手順と、上記読取手順で読み取った設定情報を解析し、上記設定情報入力作業者が加筆した設定情報を、設定項目毎に、識別する設定情報解析手順と、上記設定情報解析手順で識別された設定情報を、上記電子機器に設定する設定情報設定手順とをコンピュータに実行させるプログラムの例である。
【０１６６】
さらに、上記実施例は、電子機器の設定を入力する設定情報入力プログラムにおいて、設定情報入力シートを作成する設定情報入力シート作成手順であって、設定項目に関する説明と、設定項目に関する説明の存在場所を示す情報とを、上記設定情報入力シートに付与する設定情報入力シート作成手順と、上記設定情報入力シートを印刷する設定情報入力シート印刷手順と、設定情報入力作業者が加筆した上記設定情報入力シートを、読み取る設定情報読取手順と、上記読取手順で読み取った設定情報を解析し、上記設定情報入力作業者が加筆した設定情報を、設定項目毎に、識別する設定情報解析手順と、上記設定情報解析手順で識別された設定情報を、上記電子機器に設定する設定情報設定手順とをコンピュータに実行させるプログラムの例である。
【図面の簡単な説明】
【０１６７】
【図１】本発明の実施例１である複合機１０が使用されている画像処理システム１００の全体の構成を示すブロック図である。
【図２】複合機１０の概略構成を示すブロック図である。
【図３】複合機１０とともに画像処理システム１００を構成する情報処理端末等のＰＣ２０の概略構成を示す図である。
【図４】画像処理システム１００を構成する無線ＬＡＮユニット３０の概略構成を示す図である。
【図５】設定情報入力シートによる無線ＬＡＮ設定の処理動作の概要を示すフローチャートである。
【図６】実施例１において、設定情報入力シートを作成する手順を示すフローチャートである。
【図７】印刷されたＷＬＡＮ設定ナビシートを示す図である。
【図８】印刷されたＷＥＰキー設定ナビシート（６４ｂｉｔ）の一例を示す図である。
【図９】ＷＥＰキー設定ナビシート（１２８ｂｉｔ）の一例を示す図である。
【図１０】ＩＰアドレス設定ナビシートの一例を示す図である。
【図１１】実施例１におけるＷＬＡＮ設定ナビシートの記入例を示す図である。
【図１２】ＷＥＰキー設定ナビシート（６４ｂｉｔ）の記入例を示す図である。
【図１３】ＩＰアドレス設定ナビシートの記入例を示す図である。
【図１４】設定情報入力シートを解析する手順を示すフローチャートである。
【図１５】設定終了かどうかを判断する手順を示すフローチャートである。
【図１６】実施例２において、設定項目に関する説明を付加した設定情報入力シートを用いて、複合機１０に無線ＬＡＮを設定する手順を示すフローチャートである。
【図１７】実施例２において、印刷された接続方式選択ナビシートを示す図である。
【図１８】実施例２において、印刷されたアクセスポイント選択ナビシートを示す図である。
【図１９】実施例２において、印刷されたセキュリティモード選択ナビシートを示す図である。
【図２０】実施例２において、印刷されたＩＰアドレス選択ナビシートを示す図である。
【図２１】本発明の実施例４の動作を示すフローチャートであり、実施例１〜実施例３に示す３種類の設定情報入力シートのどのシートを使用するのかを選択する手順を示すフローチャートである。
【符号の説明】
【０１６８】
１００…画像処理システム、
１０…複合機、
２０…ＰＣ、
３０…無線ＬＡＮユニット、
ＡＰ１、ＡＰ２、ＡＰ３…アクセスポイント。
【図１】
2006345085.tif 000003
【図２】
2006345085.tif 000004
【図３】
2006345085.tif 000005
【図４】
2006345085.tif 000006
【図５】
2006345085.tif 000007
【図６】
2006345085.tif 000008
【図７】
2006345085.tif 000009
【図８】
2006345085.tif 000010
【図９】
2006345085.tif 000011
【図１０】
2006345085.tif 000012
【図１１】
2006345085.tif 000013
【図１２】
2006345085.tif 000014
【図１３】
2006345085.tif 000015
【図１４】
2006345085.tif 000016
【図１５】
2006345085.tif 000017
【図１６】
2006345085.tif 000018
【図１７】
2006345085.tif 000019
【図１８】
2006345085.tif 000020
【図１９】
2006345085.tif 000021
【図２０】
2006345085.tif 000022
【図２１】
2006345085.tif 000023